(57)【特許請求の範囲】
【請求項１】
斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、
各シリンダに対応させた空間である複数個のくりぬき部をシリンダブロックに形成するとともに、各くりぬき部と各シリンダとをピストンで閉鎖されない位置に設けた小孔で連通したことを特徴とする斜板型のアキシャルピストンポンプ及び同モータ。
【請求項２】
斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、
各シリンダに対応させた空間であり、且つそれぞれ大きさが異なる複数個のくりぬき部をシリンダブロックに形成するとともに、各くりぬき部と各シリンダとをピストンで閉鎖されない位置に設けた小孔で連通したことを特徴とする斜板型のアキシャルピストンポンプ及び同モータ。
【発明の詳細な説明】
【０００１】
【発明の属する技術分野】
本発明は斜板型のアキシャルピストンポンプ及び同モータに関し、特にそのピストン室内の圧力コントロールに適用して有用なものである。
【０００２】
【従来の技術】
図３は従来技術に係る斜板型のアキシャルピストンポンプ及び同モータの一例を示す縦断面図である。同図において、軸１は、グレードル２及びエンドプレート３の内周面に固着した軸受４ａ，４ｂで回転可能に支承してあり、しかもその一部には軸方向に形成されたスプライン５を有している。円筒状の部材であるケーシング６はその両端部にグレードル２及びエンドプレート３をそれぞれ固着してあり、これらとともに全体で当該アキシャルピストンポンプ及び同モータの筺体を形成している。斜板７はグレードル２の内側端面にその基端部を枢支され、その傾斜面にはスラストプレート８が固着されている。シリンダ９を有するシリンダブロック１０はその内周面がスプライン５に嵌合されており、軸１の軸方向に沿って移動すると同時にこの軸１と一体的に回転する。シリンダ９内には液密往復摺動自在にピストン１１が挿入してあり、このピストン１１の基端部にはスリッパ１２が枢支されており、このスリッパ１２がスライドプレート８に摺接するようになっている。バルブプレート１３はエンドプレード３の内側端面に固着してあり、シリンダブロック１０の端面と摺接するようになっている。ピストン１１の作動油である圧油の吸入口１４と吐出口１５とはエンドプレート３に設けてある。
【０００３】
かかる斜板型のアキシャルピストンポンプ及び同モータにおいて、軸１が駆動されると、スプライン５を介してシリンダブロック１０が回転する。この結果、スリッパ１２がスラストプレート８と摺動するとともに、シリンダブロック１０とバルブプレート１３とが摺動することによって、ピストン１１が回転しながら往復動する。これによって作動油を吸入口１４及びバルブプレート１３を介してシリンダ９内に吸入して圧縮し、これをバルブプレート１３及び吐出口１５を介して圧油として吐出する。
【０００４】
【発明が解決しようとする課題】
上述の如き従来技術に係る斜板型のアキシャルピストンポンプ及び同モータにおいて、作動油を圧縮する際には、シリンダ９内の圧力が高くなり、この圧力によって当該アキシャルピストンポンプ及び同モータが振動し、騒音が発生する。これを防止すべく、従来技術においてはバルブプレート１３に溝を加工することで圧力波形のコントロールを行なってきた。ところが、かかる手段ではバルブプレート１３のサイズに制約されて溝を大きく出来ず、幾何学的に圧力波形のコントロールに限界が生じる問題点があった。
【０００５】
本発明は、上記従来技術の問題点に鑑み、振動及び騒音を低減し得る斜板型のアキシャルピストンポンプ及び同モータを提供することを目的とする。
【０００６】
【課題を解決するための手段】
上記目的を達成する本発明の構成は次の点を特徴とする。
【０００７】
１）  斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、各シリンダに対応させた空間である複数個のくりぬき部をシリンダブロックに形成するとともに、各くりぬき部と各シリンダとをピストンで閉鎖されない位置に設けた小孔で連通したこと。
【０００８】
本発明によれば、シリンダ内の作動液の一部は、ピストンがシリンダ内を往復動する過程で、小孔を介してくりぬき部に出入りする。この結果、シリンダ内の圧力を変化させる。
【０００９】
２）  斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、各シリンダに対応させた空間であり、且つそれぞれ大きさが異なる複数個のくりぬき部をシリンダブロックに形成するとともに、各くりぬき部と各シリンダとをピストンで閉鎖されない位置に設けた小孔で連通したこと。
【００１０】
本発明によれば、シリンダ内の作動液の一部は、ピストンがシリンダ内を往復動する過程で、小孔を介してくりぬき部に出入りする。この結果、シリンダ内の圧力を変化させる。このとき、各くりぬき部はそれぞれの大きさが異なるので、シリンダに発生する圧力波形がそれぞれ異なるものとなり、これらの圧力による加振力が、それぞれ異なった波形のものとなる。
【００１１】
【発明の実施の形態】
図１は本発明の第１の実施の形態に係る斜板型のアキシャルピストンポンプ及び同モータを示す縦断面図である。同図に示すように、本形態に係る斜板型のアキシャルピストンポンプ及び同モータにおいては、図３に示す従来技術のシリンダブロック１０に代えてシリンダブロック２０が用いられている。このシリンダブロック２０にはシリンダ９に連通する小孔２１が設けられ、さらにこの小孔２１は各小孔２１に対応してそれぞれ設けたくりぬき部２２に連通している。各くり抜き部２２は横断面形状が円弧状の空間で軸方向に延びている。他の構成は図３に示す従来技術と同様であり、対応する部材には同じ符号を付してその説明を省略する。
【００１２】
上述の如き斜板型のアキシャルピストンポンプ及び同モータによるポンプ運転時、軸１が回転すると、スプライン５を介してシリンダブロック２０が回転し、これに伴ってシリンダブロック２０の図中の右端面がバルブプレート１３と摺動するとともに、スリッパ１２がスラストプレート８と摺動することによってピストン１１がシリンダ９内を軸方向往復動する。ピストン１１がシリンダ９内を往復動する過程で作動液が吸入口１４、バルブプレート１３を介してシリンダ９内に吸入され、ピストン１１がシリンダ９内を往復動する過程で圧縮されてバルブプレート１３、吐出口１５を経て吐出される。
【００１３】
ここで、シリンダ９内の作動液の一部は、ピストン１１がシリンダ９内を往復動する過程で、小孔２１を介して円弧状のくりぬき部２２に出入りする。この結果、作動液の一部が円弧状のくりぬき部２２を出入りすることによって、シリンダ９内の圧力を変化させるため、これに起因したポンプ・モータの振動、騒音が低減できる。
【００１４】
図２は本発明の第２の実施の形態に係る斜板型のアキシャルピストンポンプ及び同モータを示す縦断面図である。同図に示すように、本形態に係る斜板型のアキシャルピストンポンプ及び同モータは、基本構成は上記第１の実施の形態に係る斜板型のアキシャルピストンポンプ及び同モータと同様である。すなわち、第１の実施の形態における小孔２１に対応する小孔３１及びくりぬき部２２に対応するくりぬき部３２ａ、３２ｂを有している。ただ、くりぬき部３２ａ、３２ｂの軸方向の寸法は各くりぬき部３２ａ、３２ｂで違えてある。すなわち、シリンダ９毎に軸方向寸法が異なるくりぬき部を形成し、小孔３１を介して各シリンダ９に連通してある。他の構成は図１に示す第１の実施の形態と同様であり、対応する部材には同じ符号を付してその説明を省略する。
【００１５】
基本的な作用は、第１の実施の形態と同様である。すなわち、本形態によっても作動液の一部が円弧状のくりぬき部３２ａ、３２ｂを出入りすることによって各シリンダ９内の圧力を変化させる。このとき、本形態におけるくりぬき部３２ａ、３２ｂはそれぞれの軸方向の寸法が異なるので、シリンダ９に発生する圧力波形はそれぞれ異なるものとなる。したがってこれらの圧力による加振力は、それぞれ異なった波形の加振力となり、これらを合成した加振力の振幅値低減、固有振動数の変更が出来る。この結果、これに起因したポンプ・モータの振動、騒音を低減できる。
【００１６】
【発明の効果】
以上実施の形態とともに詳細に説明した通り、〔請求項１〕に記載する発明は、斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、各シリンダに対応させた空間である複数個のくりぬき部をシリンダブロックに形成するとともに、各くりぬき部と各シリンダとをピストンで閉鎖されない位置に設けた小孔で連通したので、シリンダ内の作動液の一部は、ピストンがシリンダ内を往復動する過程で、小孔を介してくりぬき部に出入りする。この結果、シリンダ内の圧力を変化させ、ポンプ・モータの振動及び騒音を良好に低減することができる。
【００１７】
〔請求項２〕に記載する発明は、斜板の傾斜角に応じてピストンが液密状態で往復摺動する複数のシリンダを備えたシリンダブロックを有するとともに、このシリンダブロックが回転して吸入口から吸入した作動油を吐出口を介して吐出することによりポンプ動作及びモータ動作を行う斜板型のアキシャルピストンポンプ及び同モータにおいて、各シリンダに対応させた空間であり、且つそれぞれ大きさが異なる複数個のくりぬき部をシリンダブロックに形成するとともに、各くりぬき部と各シリンダとをピストンで閉鎖されない位置に設けた小孔で連通したので、シリンダ内の作動液の一部は、ピストンがシリンダ内を往復動する過程で、小孔を介してくりぬき部に出入りし、シリンダ内の圧力を変化させる。このとき、各くりぬき部はそれぞれの大きさが異なるので、シリンダに発生する圧力波形がそれぞれ異なるものとなり、これらの圧力による加振力が、それぞれ異なった波形のものとなる。この結果、ポンプ・モータの振動及び騒音をさらに良好に低減することができる。
【図面の簡単な説明】
【図１】本発明の第１の実施の形態に係る斜板型のアキシャルピストンポンプ及び同モータを示す縦断面図である。
【図２】本発明の第２の実施の形態に係る斜板型のアキシャルピストンポンプ及び同モータを示す縦断面図である。
【図３】従来技術に係る斜板型のアキシャルピストンポンプ及び同モータを示す縦断面図である。
【符号の説明】
１        軸
４ａ、４ｂ        軸受
５        スプライン
７        斜板
９        シリンダ
１１        ピストン
１４        吸入口
１５        吐出口
２０、３０        シリンダブロック
２１、３１        小孔
２２、３２ａ、３２ｂ        くりぬき部
【図１】
0003806248.tif 000002
【図２】
0003806248.tif 000003
【図３】
0003806248.tif 000004